(57)【特許請求の範囲】
【請求項１】
シート（３２）、背もたれ（３６）、およびライティングテーブル（４２）を支持するベース構造部（２２）を備え、ライティングテーブル（４２）が下方使用不能位置と上方使用可能位置の間を移動する椅子であって、
上記下方使用不能位置において、ライティングテーブル（４２）のテーブル面は、上記ベース構造部（２２）の左右いずれか一方の側面より外側に位置するとともに、鉛直軸（４８）と平行に位置しながら椅子の縦方向対称面に平行な鉛直面（Ａ）に対して椅子の外方に向かって傾斜しており、隣接する２つの椅子のテーブルが部分的に互いに重なり合っている状態で２つ以上の同タイプの椅子が互いに縦方向に固定できることを特徴とする、椅子。
【請求項２】
ライティングテーブル（４２）のテーブル面と上記鉛直面との間で形成された角度（α）は、５度から２０度であることを特徴とする、請求項１記載の椅子。
【請求項３】
ライティングテーブル（４２）は、回動可能な接続機構（４０）により保持され、
接続機構（４０）は、下方位置と上方位置の間で鉛直面（Ａ）に対して傾斜した軸の回りにテーブル（４２）を回転することができることを特徴とする、請求項１記載の椅子。
【請求項４】
上記上方使用可能位置において、接続機構（４０）は、２つの使用可能な位置の間で鉛直方向の軸（４８）の回りにテーブル（４２）を移動することができることを特徴とする、請求項３記載の椅子。
【請求項５】
上記接続機構（４０）は、上記下方使用不能位置であるテーブルが下げられて安定した保持位置にテーブルをとどまらせるように設計された保持装置（６２，６８）を備えることを特徴とする、請求項３記載の椅子。
【請求項６】
上記接続機構（４０）は、鉛直軸（４８）の回りにテーブル（４２）を移動できる両端の位置を規定する装置（７４，８２）を備えることを特徴とする、請求項４記載の椅子。
【発明の詳細な説明】
【０００１】
【発明の属する技術分野】
本発明は、ライティングテーブル付き椅子に関する。そのようなタイプの椅子は、ミーティング、会議、授業等の参加者の座席として、通常、使用される。ライティングテーブルは、通常、椅子の保持機構に連結させて固定され、下方使用不能位置と上方使用可能位置の間を移動させることができる。ライティングテーブルを上方使用可能位置に移動させると、レスト面を形成し、利用者は筆記ができたり、ポータブルコンピューターを使用することができる。
【０００２】
【従来の技術および発明が解決しようとする課題】
ミーティング等で使用されるように作られた椅子に必要とされる条件の１つとして、使用しない場合にできるだけ小スペースで互いを重ね合わせることができることである。ミーティング、会議、授業等に使用される椅子のうちライティングテーブルが付属していないものは、すでに知られている。そのような椅子は、使用されていない場合には縦方向に互いを立てかけることができる。ライティングテーブルが付属する椅子は、互いを重ね合わせることができない。
【０００３】
本発明の目的は，上記問題点を解消することができる改良された椅子を提供することである。
【０００４】
本発明によると、上記目的および他の目的は、特許請求の範囲に記載した特徴を備えるような椅子により達成される。
【０００５】
【発明の実施の形態】
添付の図面を参照しながら、本発明を詳細に説明するが、以下の実施例に限定するものではない。
【０００６】
図１〜図４を参照すると、本発明の椅子20は、それぞれ一対の前脚24および後脚26を有するベース構造部22を備える。各脚は、方向が可変の車輪28を下端に備える。ベース構造部22は、横軸材30を備える。シート32は、横軸材30の回りに回転可能なように配置される。シート32は、上方の使用不能位置と下方使用可能位置の間を移動させることができる。背もたれ34を支持する支持機構は、揺動するように横軸材30に固定され、弾性体（不図示）と協動して、利用者が背もたれ36にもたれた場合にかかる後方への力の作用に抗する。
【０００７】
ベース構造部22は、チューブ状の支持材38を備える。支持材38は、上端に回動可能な接続材40（articulation element）を有する。この接続材40にライティングテーブル42が後述の方法で接続される。テーブル42は、下方使用不能位置（図１および図４で示した位置）と上方使用可能位置（図２および図３で示した位置）の間を移動させることができる。本発明によれば、下方使用不能位置において、ライティングテーブル42は、椅子の縦方向対称面に平行な鉛直面Ａに対して角度α傾斜している。角度αは、５度から20度までの鋭角であることが望ましい（例えば約14度）。上記のようにライティングテーブル42を配置した同じタイプの２つ以上の椅子は、図５で示したように、縦方向に互いを重ね合わせることができる。椅子20を互いに重ね合わせることができるようにするには、図３および図４で示したように、外側にある椅子の脚24および内側にある椅子の脚26が横方向に互い違いに配置されていなければならない。それにより、２つの椅子を互いに重ね合わせる場合、後方位置に配置される椅子の前脚24は、隣接する前方の椅子の後脚26の間に通すことができる。図５に示したように、一組の同タイプの椅子20が互いに重ね合わされている位置においては、各椅子のシート32は、実質的に鉛直方向の位置に上げられている。その結果、前方に配置された椅子の背もたれ36は、すぐ後ろに位置する椅子の横軸材30に実質的に隣接することになる。
【０００８】
図４を参照すると、接続機構40は、相互に直交する２本の軸44、46を中心として回転できるように構成されている。第一の回転軸44は、ライティングテーブル42のテーブル面に対して直交している。一方、第二の回転軸46は、ライティングテーブル42のテーブル面に対して平行である。テーブル42を図１の使用不能位置から図２の使用可能位置まで移動させるには、軸44の回りに回転させ、それから軸46の回りに回転させなければならない。図３を参照すると、テーブルが上方使用可能位置にあるとき、接続機構40は、図３の紙面に直交する縦方向の軸48回りにテーブル42をさらに回転移動させることができる。軸48回りの回転運動により、テーブル42は、実線で示した位置と破線で示した位置との間を移動することが可能となる。かかる移動で有利な点は、使用者はテーブル42を下ろさずに、椅子から立ち上がることができるということである。結果として、使用者は、テーブル42の上に置いている物を移動させることなく、椅子から立ち上がることができる。
【０００９】
図６から図14までを参照して、軸44、46、および48の回りの回転を可能にする接続機構40の構造上の特徴を以下に述べる。まず、図11から図14までを参照すると、接続機構40は、ベース部本体50を備える。ベース部本体50は、椅子のベース構造部22の一部を構成するチューブ状支持材38の上部に固定されている。ベース部本体50は、ピン52を保持する。ピン52の軸は、第１の回転軸44を規定する。回転部本体54は、ピン52の回りを回転するように配置されている。図14および図15を参照すると、ベース部本体50は、約180度の広がりを持つアーチ形溝56を有する。回転部本体54が備えるピン58の端部は、アーチ形の溝56の内部に遊びを持たせて嵌合している。アーチ形の溝56の端部は、ベース部本体50に対して回転部本体54が移動できる限界の位置を規定する。アーチ形の溝56の一端において、エラストマー材料の固まりが配置されていることが望ましい。図11、図12、および図13を参照すると、テーブルが下げられた位置（この位置は、安定している）に回転部本体54をとどめるために、スプリングタイプの保持機構がベース部本体50と回転部本体54の間に固定されている。上記保持機構は、一対のピン62を備える。ピン62は、ベース部本体50の各シート部にスライド可能に配置され、スプリング64により回転部本体54の前面66に向かって押圧されている。回転部本体54の前面66にある一対の嵌合シート部68は、傾斜部70を形成している。図13に示したように、安定した保持位置に回転部本体54がとどまるように、ピン62の端部が傾斜部70に嵌合する。
【００１０】
図８、図９および図10を参照すると、回転部本体54は、第二の揺動軸46を規定するピン72を保持する。Ｕ字形ブラケット74が、ピン72に接続されている。Ｕ字形ブラケット74は、ピン72の回りを約90度回転することができる。図７、図８および図10を参照すると、Ｕ字形ブラケット74は、ディスク76に固定されている。ディスク76は、第三の揺動軸48を規定するピボットピン78を保持する。ライティングテーブル42の支持機構を形成する金属プレート80は、ピン78のまわりを回転可能なように配置されている。図６を参照すると、金属プレート80は、所定形状をした開口部82を有する。開口部82の壁は、Ｕ字形ブラケット74と協動し、テーブル42の可動範囲の両端（この両端は、図３で実線および破線で示した位置に対応する）を規定する。外殻82、84は、プラスチック材で作られ、ライティングテーブル42の外側部分を形成する。また、外殻は、図８のビス86を用いてプレート80に固定される。
【００１１】
当然、構造および実施形態の詳細は、ここに説明し、図示したものに対して、本発明の原理から外れることなく、広く変更することができる。そうすることによって、特許請求の範囲に記載した本発明の範囲から逸脱することはない。
【図面の簡単な説明】
【図１】  本発明の椅子をライティングテーブルが下方の位置にある状態で示す側面図である。
【図２】  本発明の椅子をライティングテーブルが上方の位置にある状態で示す側面図である。
【図３】  本発明の椅子をライティングテーブルが上方の位置にある状態で示す平面図である。
【図４】  本発明の椅子をライティングテーブルが下方の位置にある状態で示す平面図である。
【図５】  本発明の椅子を縦方向に２つ重ね合わせた状態を示す側面図である。
【図６】  図３中に矢印VIで示した部分の平面図である。
【図７】  図６中のVII−VII線断面図である。
【図８】  図７中のVIII−VIII線断面図である。
【図９】  図４中のIX−IX線断面図である。
【図１０】  図３中のX−X線断面図である。
【図１１】  図４中に矢印XIで示した部分の横断面図である。
【図１２】  図１１中のXII−XII線断面図である。
【図１３】  図１１中のXIII−XIII線断面図である。
【図１４】  図１５中のXIV−XIV線断面図である。
【図１５】  図１４中のXV−XV線断面図である。
【符号の説明】
20  椅子
22  ベース構造部
24  前脚
26  後脚
28  車輪
30  横軸材
32  シート
36  背もたれ
38  支持材
40  接続機構
42  ライティングテーブル
44  第１の回転軸
46  第２の回転軸
48  第３の回転軸
50  ベース部本体
52  ピン
54  回転部本体
56  アーチ形溝
62  ピン
64  スプリング
68  嵌合シート部
70  傾斜部
74  Ｕ字形ブラケット
76  ディスク
78  ピン
80  金属プレート
82  開口部
【図１】
0004289835.tif 000002
【図２】
0004289835.tif 000003
【図３】
0004289835.tif 000004
【図４】
0004289835.tif 000005
【図５】
0004289835.tif 000006
【図６】
0004289835.tif 000007
【図７】
0004289835.tif 000008
【図８】
0004289835.tif 000009
【図９】
0004289835.tif 000010
【図１０】
0004289835.tif 000011
【図１１】
0004289835.tif 000012
【図１２】
0004289835.tif 000013
【図１３】
0004289835.tif 000014
【図１４】
0004289835.tif 000015
【図１５】
0004289835.tif 000016